(57)【要約】【課題】通常のカートリッジでは、カートリッジの外壁に書き換え可能な表示部がないため、シールなどに内容を記載するか、再度ドライブにより再生しなければ、カートリッジ内のメモリーに記録された内容を判断する方法がなかった。【解決手段】相変化光ディスク表面に可逆性感熱記録材料からなる表示部１１が形成されている。張り合わせたポリカーボネート基板７上に反射層としてＡｌを蒸着し、その上に記録材料としてベヘン酸（ＣＨ３（ＣＨ２）２０ＣＯＯＨ）からなる有機結晶粒子を塩化ビニルと酢酸ビニルの共重合体（−（ＣＨ２ＣＨＣｌ）ｘ−（ＣＨ２ＣＨ−Ｏ−Ｃ（ＣＨ３）Ｏ）―）からなるマトリックスポリマー中に微粒子分散したものを用いた。記録材料上には保護膜を形成した。【選択図】　図４
2004086965.tif 000002
【特許請求の範囲】
【請求項１】
映像または音楽のコンテンツ情報と同時に、その前記コンテンツ情報の簡易情報を装置外部から入力するポートと、
前記簡易記録再生部と非接触でデータを交換する送受信部を２つ以上と、
表示画面を有し、
前記コンテンツを記録再生するための記録再生媒体、または前記記録再生媒体のカートリッジには、前記簡易情報を記録再生するための簡易記録再生部が設けられていて、
前記送受信部の少なくとも１つは装置内部に搭載され、前記コンテンツ情報を前記記録再生領域に記録すると同時に、前記簡易情報を前記簡易記録再生部に記録し、
前記送受信部の少なくとも１つは装置外部に搭載され、前記簡易記録再生部に記録された前記簡易情報を、前記記録再生媒体または前記カートリッジを装置内に挿入することなく、非接触で読み出し、表示画面に表示することを特徴とする光情報処理装置。
【請求項２】
前記簡易記録再生部が、強誘電体メモリーであることを特徴とする請求項１に記載の光情報処理装置。
【請求項３】
前記記録再生媒体が、相変化光ディスク、光磁気ディスク、ハードディスク、不揮発性メモリー、磁気テープであることを特徴とする請求項１に記載の光情報処理装置。
【請求項４】
請求項１に記載の前記簡易記録再生部に記録された前記簡易情報を、非接触で読み出すことができる送受信部を装置外部に搭載し、前記簡易情報を非接触で読み出し、前記簡易情報を通常映像を見るためのディスプレイ上に表示させることを特徴とする画像表示装置。
【請求項５】
請求項１に記載の光情報処理装置が一体化され、請求項１に記載の前記簡易記録再生部に記録された前記簡易情報を、前記光情報処理装置の外部に搭載された前記送受信部により、前記簡易情報を非接触で読み出し、前記簡易情報を通常映像を見るためのディスプレイ上に表示させることを特徴とする画像表示装置。
【請求項６】
請求項１に記載の前記簡易記録再生部に記録された前記簡易情報を印刷するため印刷部が搭載されていることを特徴とする光情報処理装置または画像表示装置。
【請求項７】
記録再生領域と表示部が設けられている記録再生媒体に情報を記録再生する装置であって、映像または音楽のコンテンツ情報と同時に、その前記コンテンツ情報の簡易情報を装置外部から入力するポートを有し、前記コンテンツ情報を前記記録再生領域に記録し、同時に前記簡易情報を前記表示部に表示することを特徴とする光情報処理装置。
【請求項８】
表面に表示部が設けられているカートリッジ内部に記録再生領域を含む記録再生媒体を有し、前記記録再生媒体に情報を記録再生する装置であって、映像または音楽のコンテンツ情報と同時に、その前記コンテンツ情報の簡易情報を装置外部から入力するポートを有し、前記コンテンツ情報を前記記録再生領域に記録し、同時に前記簡易情報を前記表示部に表示することを特徴とする光情報処理装置。
【請求項９】
前記表示部が、書き換え可能であることを特徴とする請求項７または８に記載の光情報処理装置。
【請求項１０】
前記表示部が、可逆性感熱記録材料で構成されていることを特徴とする請求項７または８に記載の光情報処理装置。
【請求項１１】
前記表示部に、印刷手段により直接データ出力することを特徴とする請求項７または８に記載の光情報処理装置。
【請求項１２】
前記記録再生媒体が光ディスクであり、前記光ディスクに情報を記録再生するためのレーザが搭載された光ピックアップを有する装置であって、前記光ピックアップにより前記表示部に前記簡易情報を表示することを特徴とする請求項７または８に記載の光情報処理装置。
【発明の詳細な説明】
【０００１】
【発明の属する技術分野】
本発明は、データや映像情報を記録再生することが可能な光ディスク装置に用いられる記録再生光ディスクおよびメモリーカートリッジに関するものである。
【０００２】
【従来の技術】
１９８２年に、近赤外半導体レーザを用いたＣＤ（コンパクトディスク）が発売された。厚み１．２ｍｍの基材に情報としてピットを形成し、ピットが形成されたディスク面の反対側から集光されたレーザ光を入射し、ピット情報を再生する。ディスク表面には、メディアをタイトルなどが表示されている。
【０００３】
その後、近赤外半導体レーザを用いた記録再生メディアとして、ＰＤが発売された。コンピュータのデータ保存を目的として開発され、容量６５０ＭＢを有する。ほこりなどのゴミからディスクを保護するために、光ディスクはカートリッジ内に収納されている。
【０００４】
１９９６年には、赤色半導体レーザを用いて、記録容量４．７ＧＢを有するＤＶＤ（ディジタル・バーサタイル・ディスク）が発売された。ＲＯＭ（リード・オンリー・メモリ）ディスクであり、映画などの映像データが記録された。ＤＶＤ−ＲＯＭディスクの表面にはタイトルなどが印刷されている。
【０００５】
その後、記録再生可能なＤＶＤ−ＲＡＭ（ランダム・アクセス・メモリー）が発売され、テープを用いたＶＨＳに置き換わる、ディジタル・ビデオ・ディスクドライブも開発された。ＤＶＤ−ＲＡＭディスクも、ほこりなどのゴミからディスクを保護するため、光ディスクはカートリッジ内に収納された。ＤＶＤ−ＲＡＭではカートリッジから光ディスクを取り出し、裸のままでドライブにより読み出しすることも可能である。
【０００６】
【発明が解決しようとする課題】
以上説明したように、ＣＤやＤＶＤ−ＲＯＭなどのＲＯＭディスクでは、読み出しのためのレーザ光が入射する面と対向する面上に、記録されている情報のタイトルなどが表示されている。そのため、光ディスクをドライブにより読み出しをすることもなく、光ディスクの判別を行うことが可能である。
【０００７】
一方、ＰＤやＤＶＤ−ＲＡＭなどでは、光ディスクにデータを記録再生できるため、その内容については書き換えられる。ＶＨＳテープやフラッシュメモリーを利用したＳＤカードなども同様に、データの内容は随時更新される。
【０００８】
従来にカートリッジでは、カートリッジの外壁に書き換え可能な表示部がないため、シールなどに内容を記載するか、再度ドライブにより再生しなければ、記録再生媒体に記録された内容を判断する方法がなかった。
【０００９】
そこで、本発明は、上記の課題を解決し、記録再生媒体に記録された内容を視覚的に、かつ容易に判断することが可能な光ディスクおよび記録再生カートリッジを提供することを目的とする。
【００１０】
【課題を解決するための手段】
上記課題を解決するため、本発明の光情報処理装置は、（１）映像または音楽のコンテンツ情報と同時に、その前記コンテンツ情報の簡易情報を装置外部から入力するポートと、前記簡易記録再生部と非接触でデータを交換する送受信部を２つ以上と、表示画面を有し、前記コンテンツを記録再生するための記録再生媒体、または前記記録再生媒体のカートリッジには、前記簡易情報を記録再生するための簡易記録再生部が設けられていて、前記送受信部の少なくとも１つは装置内部に搭載され、前記コンテンツ情報を前記記録再生領域に記録すると同時に、前記簡易情報を前記簡易記録再生部に記録し、前記送受信部の少なくとも１つは装置外部に搭載され、前記簡易記録再生部に記録された前記簡易情報を、前記記録再生媒体または前記カートリッジを装置内に挿入することなく、非接触で読み出し、表示画面に表示する、そのことによって、上記の目的が達成される。
【００１１】
ある実施の形態では、前記簡易記録再生部が、強誘電体メモリーである。
【００１２】
ある実施の形態では、前記記録再生媒体が、相変化光ディスク、光磁気ディスク、ハードディスク、不揮発性メモリー、磁気テープである。
【００１３】
また、本発明の画像表示装置は、（２）前記簡易記録再生部に記録された前記簡易情報を、非接触で読み出すことができる送受信部を装置外部に搭載し、前記簡易情報を非接触で読み出し、前記簡易情報を通常映像を見るためのディスプレイ上に表示させる、そのことによって、上記の目的が達成される。
【００１４】
また、本発明の画像表示装置は、（３）光情報処理装置が一体化され、前記簡易記録再生部に記録された前記簡易情報を、前記光情報処理装置の外部に搭載された前記送受信部により、前記簡易情報を非接触で読み出し、前記簡易情報を通常映像を見るためのディスプレイ上に表示させる、そのことによって、上記の目的が達成される。
【００１５】
また、本発明の画像表示装置は、（４）前記簡易記録再生部に記録された前記簡易情報を印刷するため印刷部が搭載されていることを特徴とする光情報処理装置または画像表示装置。
【００１６】
また、本発明の光情報処理装置は、（５）記録再生領域と表示部が設けられている記録再生媒体に情報を記録再生する装置であって、映像または音楽のコンテンツ情報と同時に、その前記コンテンツ情報の簡易情報を装置外部から入力するポートを有し、前記コンテンツ情報を前記記録再生領域に記録し、前記簡易情報を前記表示部に表示する、そのことによって、上記の目的が達成される。
【００１７】
また、本発明の記録再生カートリッジは、（６）表面に表示部が設けられているカートリッジ内部に記録再生領域を含む記録再生媒体を有し、前記記録再生媒体に情報を記録再生する装置であって、映像または音楽のコンテンツ情報と同時に、その前記コンテンツ情報の簡易情報を装置外部から入力するポートを有し、前記コンテンツ情報を前記記録再生領域に記録し、前記簡易情報を前記表示部に表示する、そのことによって、上記の目的が達成される。
【００１８】
ある実施の形態では、前記表示部が書き換え可能である。
【００１９】
ある実施の形態では、前記表示部が、可逆性感熱記録材料で構成されている。
【００２０】
ある実施の形態では、前記表示部に、印刷手段により直接データ出力する。
【００２１】
ある実施の形態では、前記記録再生媒体が光ディスクであり、前記光ディスクに情報を記録再生するためのレーザが搭載された光ピックアップを有する装置であって、前記光ピックアップにより前記表示部に前記簡易情報を表示する。
【００２２】
【発明の実施の形態】
（実施の形態１）
記録再生可能なメモリーとして相変化光ディスクを用いた構成について説明する。光ディスクの書換型光記録媒体としては、ディスク形状をした基板上に、Ｇｅ−Ｓｂ−ＴｅやＩｎ−Ｓｅ等のＴｅ、Ｓｅをベースとするカルコゲナイド薄膜、あるいはＩｎ−Ｓｂ等の半金属薄膜を記録層として備えた相変化光記録媒体が知られている。相変化光記録媒体の記録消去方法は、上記相変化材料からなる記録薄膜層に、サブミクロンオーダーサイズの光スポットに集光したレーザビームを瞬時照射し、照射部を局部的に所定の温度に加熱することで行われる。照射部分は、到達温度が結晶化温度以上になれば結晶の状態に転換し、融点を越え溶融した後急冷すればアモルファス状態に転換する。アモルファス状態、結晶状態のいずれかを記録状態、消去状態（未記録状態）と定義し、情報信号に対応させたパターンで形成することで、可逆的な情報の記録または消去が行われることになる。結晶状態とアモルファス状態とでは光学的な特性が異なり、これによる差を利用して、反射率変化、あるいは透過率変化として光学的に検出することで信号を再生することができる。
【００２３】
本実施例では、相変化光ディスク表面に可逆性感熱記録材料を利用した表示部が設けられている構成について説明する。可逆性感熱記録材料には、いくつかの種類がある。図１に示す。化学変化と物理変化によるものに、大きく分けられる。化学変化によるものは、透明状態と発色状態の変化が生じ、サーモクロミックやロイコ染色などの染料系の材料が用いられる。一方、物理変化によるものは、透明状態と白濁状態の変化が生じ、光の散乱により情報を表示する。この中には、１）高分子液晶を用いた液晶の配向、２）高分子ブレンドの相分離、３）結晶性高分子、結晶性低分子や結晶性低分子／高分子などの相変化を利用したものがある。結晶性高分子、結晶性低分子などの相変化を利用したものは、材料の急冷もしくは徐冷によりアモルファス状態と結晶状態を得ることができ、これらの透過率差を利用して、情報を表示する。一般には、結晶性低分子／高分子から構成されるものが用いられている。
【００２４】
本実施例では、結晶性低分子／高分子から構成される表示部が用いられた。図２を用いて詳しく説明する。基板１上に反射層２としてアルミニウム（Ａｌ）を蒸着し、その上に記録材料３を形成し、さらにその上には保護層４が形成されている。基板１の反射を利用することもできるので、反射層２は必要に応じて形成する。表示部の記録材料３には、長鎖脂肪酸（ベヘン酸など）などからなる有機結晶粒子５を、塩化ビニルと酢酸ビニルの共重合体などからなるマトリックスポリマー６中に微粒子分散したものが用いられる。
【００２５】
図３を用いて白濁状態と透明状態との間の変化について説明する。はじめ、白濁状態（ガラス状態）にある記録材料は、昇温過程のおいてガラス転移温度Ｔ１から透過率が上昇し始め、Ｔ２からＴ３の範囲で透過率が最大となる。Ｔ２からＴ３状態において、室温まで放冷すると、透明状態を示す（▲１▼）。さらに昇温して融点を越えると、透過率は減少し、この融点以上から放冷すると、過冷却を経由してＴ４以下では急激に透過率が低下し、白濁状態となる（▲２▼）。
【００２６】
メカニズムについて説明する。Ｔ３以上では有機結晶粒子がマトリックスポリマー中で融解、相分離しており、ここで放冷すると過冷却状態を経て、マトリックスポリマーのガラス転移温度以下で急激に結晶化することで、多結晶状態となり有機結晶粒子とマトリックスポリマーの間に空隙が生じ、光が散乱されて白濁状態となる。この状態から、昇温するとマトリックスポリマーが軟化し、空隙を埋めるとともに、多結晶粒子が一部結晶化するため、散乱が低下して透明化する。
【００２７】
本発明の相変化光ディスクの構成について説明する。図４に相変化光ディスクの構成を示す。直径１２０ｍｍで０．６ｍｍ厚のポリカーボネート基板７上には、ランドとグルーブが形成され、その上に誘電体層８としてａ−ＺｎＳ、記録層９としてＧｅＳｎＴｅ層、さらにその上に誘電体層８としてａ−ＺｎＳと、反射層１０としてＡｌを形成した。最後に０．６ｍｍのポリカーボネート基板７を紫外線硬化剤を用いて張り合わせた。
【００２８】
本実施例では、相変化光ディスク表面に可逆性感熱記録材料からなる表示部１１が形成されている。表示部１１の構成は図２のようになっていて、張り合わせたポリカーボネート基板７上に反射層としてＡｌを蒸着し、その上に記録材料としてベヘン酸（ＣＨ３（ＣＨ２）２０ＣＯＯＨ）からなる有機結晶粒子を塩化ビニルと酢酸ビニルの共重合体（−（ＣＨ２ＣＨＣｌ）ｘ−（ＣＨ２ＣＨ−Ｏ−Ｃ（ＣＨ３）Ｏ）―）からなるマトリックスポリマー６中に微粒子分散したものを用いた。記録材料３上には保護膜を形成した。表示部１１中の反射層は、必ずしも必要なわけではなく、反射層１０でも代用できる。
【００２９】
次に、表示部の書き換え方法について説明する。メカニズムについては上記で説明したように記録材料の昇温および冷却により、白濁状態と透明状態を繰り返し、相変化光ディスクに記録された情報を表示することが可能である。図５に、記録再生装置の構成について示す。相変化光ディスク１２は、スピンドルモーター１３の回転軸に固定される。光ピックアップ１４は、半導体レーザ、集光レンズ、光検出器などから構成され、相変化光ディスク１２へデータの記録／再生を行う。表示部用記録ヘッド１５は、記録用のサーマルヘッド１６、消去用のロールヘッド１７、ディスク回転用ローラ１８などから構成されている。ディスク回転用ローラ１８により、表示部用記録ヘッド１５と相変化光ディスク１２上の表示部１９の位置決めを行う。次に、消去用のロールヘッド１７により、表示部の温度がガラス転移温度以上融点以下に昇温され、記録材料を透明状態に変化させる。表示部１９への記録は、記録用のサーマルヘッド１６により表示部１９の温度を融点以上に上昇させ過冷却し、白濁状態にして行われる。
【００３０】
なお、本実施例では、表示部１９の消去用ヘッドとしてロールヘッドを用いているが、プレートヒータ、サーマルヘッド、面状発熱シートなども用いることができる。
【００３１】
本実施例の特長は、ＣＳ、ＢＳなどのディジタル放送では映像および音楽のコンテンツ情報と同時に、そのコンテンツ情報の内容を示す文字情報などが簡易情報として受信することができ、コンテンツ情報を記録再生領域に記録し、簡易情報を表示部に表示することで、映像および音楽のコンテンツ情報の内容を再生することなく、表示部を見ることで視覚的に内容を理解できることである。図５を用いて説明する。入力ポートから入ってくる映像または音楽情報には、映像などのコンテンツ情報と、文字情報などの簡易情報が含まれる。本実施例では、光ピックアップ１４を用いて光ディスクの記録再生領域（ここでは相変化ディスク部）に簡易情報を含む画像音楽などのコンテンツ情報を記録し、表示部１９に簡易情報、例えばタイトル、日時、短縮された内容などを表示部用記録ヘッド１５を用いて記録する。これにより、従来ではディスクの中身が視覚的にまた瞬時に判断できず、ラベルなどを印刷して貼る必要があったが、本発明の光情報処理装置では自動的に入力される情報を分別して、ディスクの中身が判断できるように簡易情報のみを表示部に表示させることができるため、多数のディスクを保存する場合においても、容易に中身を判断でき、その実用的効果は大きい。
【００３２】
相変化光ディスクなどのメモリーに記録される情報は、映像音楽情報が望ましい。４．７ＧＢ−ＤＶＤ−ＲＡＭディスクを用いたレコーダーでは、ＮＴＳＣ放送の映像情報を約２時間程度録画できるため、３０分の番組が４本程度、画質をおとせば１０本程度記録できる。また、音楽情報にしても、３０本程度を記録することができる。地上波放送や衛星（ＢＳ：Ｂｒｏａｄｃａｓｔ　Ｓａｔｅｌｌｉｔｅ、ＣＳ：Ｃｏｍｍｕｎｉｃａｔｉｏｎ　Ｓａｔｅｌｌｉｔｅ）放送により、映像や音楽などの情報を得ることができる。特にＢＳ、ＣＳ放送では、タイトル、出演者、概要など、映像や音楽の中身の情報も放送信号から利用者は得ることができる。また、通常のレコーダーでは、記録再生装置にタイマーが設置されている。そのため、映像や音楽を記録する際に、記録する情報のタイトルや日時や記録モードを同時に記録することができる。よって、本実施例のように記録される情報のタイトル、および記録日時などを分離し、光ディスク上の表示部に自動的に表示することで、利用者は記録再生装置で再生することなく、すなわち光ディスクの表面を見るだけで、中に記録された情報を視覚的に得ることができ、その利便性は大きい。
【００３３】
本実施例では、相変化光ディスク表面に可逆性感熱記録材料からなる表示部が形成されたものについて説明したが、Ｆｅ−Ｔｂ−Ｃｏ等の金属薄膜を記録層とした光磁気ディスク表面や色素材料を用いた追記型の光記録媒体表面に、表示部が形成されたものでも、同様の効果を得ることができる。
【００３４】
例えば、光磁気ディスクでは光磁気記録薄膜に集光したレーザビームを照射し、局部的に所定の温度に加熱する。加熱と同時に磁界を加え、光磁気記録薄膜の磁化方向を情報に応じて反転させることによって、情報の記録または消去が行われる。容量も、１２ｃｍの光ディスクに数ＧＢ以上のデータを記録することが可能であり、相変化ディスクと同程度の記録容量を有する。そのため、映像や音楽情報を１０タイトル以上記録することも可能である。そのため、本実施例のように、光ディスク表面に、タイトル、および記録日時などが表示されることで、利用者は記録再生装置で再生することなく、すなわち光ディスクの表面を見るだけで、中に記録された情報を視覚的に得ることができ、その利便性は大きい。
【００３５】
本実施例においては、表示部に結晶性低分子／高分子から構成される可逆性感熱記録材料が用いられた。有機結晶粒子としては、長鎖脂肪酸（ベヘン酸など）以外に、長鎖脂肪酸アミド、ヒドロキシ長鎖脂肪酸、長鎖ジカルボン酸、高級アルコール、高級ジアルコールなどを選択しても同様の効果が得られる。マトッリクスポリマーとしては、塩化ビニル、酢酸ビニル共重体以外に、ポリエステル樹脂、ポリ塩化ビニル、ポリカーボネート樹脂、ポリ酢酸ビニル、ブチラール樹脂などを選択しても、同様の効果が得られる。なお、同様な効果が得られれば、これらに限定されるものではない。また、図１に示すようなその他の可逆性感熱記録材料を用いても同様の効果が得られる。
【００３６】
例えば、サーモクロミックを利用した表示部について説明する。図６に構成を示す。基板２０上に、記録材料２１と保護層２２を形成する。記録材料としては、ロイコ染料が用いられた。ロイコ染料は、酸雰囲気でラクトン環の開裂により発色し、アルカリ雰囲気でラクトン環が閉じて消色する。本実施例では、長鎖アルキル基を有する顕減色剤を用いたものを用いた。
【００３７】
フルオラン系ロイコ染料とオクタデシルホスホン酸から構成される。１００℃で溶融し、発色状態となり、そこから急冷すると常温でも発色状態が維持される。溶融状態から徐冷すると、７０℃前後で消色し、常温でも消色状態が維持される。常温での発色状態から加熱すると、６５℃前後で消色し、９０℃以上で発色する。このとき消色状態から急冷すると、消色状態が維持される。これらのロイコ染料、顕減色剤などの材料はバインダーを用いて記録層が形成されても同様の効果が得られる。バインダーとは、前述のマトリックスポリマー材料を用いることができるが、これらに限られるものではない。
【００３８】
表示部用記録ヘッドは、記録用のサーマルヘッド、消去用のロールヘッド、ディスク回転用ローラなどから構成されている。ディスク回転用ローラにより、表示部用記録ヘッドと光ディスク上の表示部の位置決めを行う。消去用のロールヘッドにより、表示部の温度が６５℃温度前後に昇温され急冷すると、表示部を消色状態に変化できる。また、表示部への記録は、記録用のサーマルヘッドにより表示部の温度を１００℃以上に上昇させ急冷することにより、発色状態に変化させ行われる。
【００３９】
この方法では、着色することができるため、利用者に効果的に情報を示すことが可能となるため、さらに利便性が大きい。
【００４０】
（実施の形態２）
本発明の相変化光ディスクがカートリッジの中に配置されメモリーカートリッジの構成について説明する。図７にその構成を示す。カートリッジ２３内には、図４の相変化光ディスクが配置されている。カートリッジ２３が記録再生装置に挿入されると、カートリッジ２３の一部分があき、相変化光ディスク２４は、スピンドルモーターの回転軸に固定される。半導体レーザ、集光レンズ、光検出器などから構成される光ピックアップにより、相変化光ディスク２４へデータの記録／再生が行われる。
【００４１】
カートリッジ２３表面には、可逆性感熱記録材料からなる表示部２５が形成されている。実施例１と同様、表示部２５の構成は図２のようになっていて、ポリカーボネート基板上にＡｌを蒸着し、その上に記録材料としてベヘン酸（ＣＨ３（ＣＨ２）２０ＣＯＯＨ）からなる有機結晶粒子を塩化ビニルと酢酸ビニルの共重合体（−（ＣＨ２ＣＨＣｌ）ｘ−（ＣＨ２ＣＨ−Ｏ−Ｃ（ＣＨ３）Ｏ）―）からなるマトリックスポリマー中に微粒子分散したものを用いた。記録材料上には保護膜を形成した。
【００４２】
表示部用記録ヘッドは、記録用のサーマルヘッド、消去用のロールヘッド、これらを直線運動させる機構などから構成されている。相変化光ディスクへの記録再生は、カートリッジの２３のスライド２６が開閉し、図５と同様、下部から光ピックアップにて行う。
【００４３】
カートリッジ型では、表示部用記録ヘッドと光ディスク上の表示部の位置決めはカートリッジを固定したときに同時に行われるため、表示部用記録ヘッドは機構的にも簡素化される。また、実施の形態１では、ディスク回転用ローラにより光ディスクを回転して、表示部の書き換えを行うため、一般的には表示部が同心円状の方が、記録ヘッドの構成が簡素化される。本実施例では、カートリッジを固定し、表示部用記録ヘッドが直線運動するため、表示部の文字が直線にならび、視覚的情報も得やすい。
【００４４】
消去用のロールヘッドにより、表示部の温度がガラス転移温度以上融点以下に昇温され、記録材料を透明状態に変化させる。表示部への記録は、記録用のサーマルヘッドにより表示部の温度を融点以上に上昇させ過冷却し、白濁状態にして行われる。
【００４５】
実施の形態１と同様、記録再生可能なメモリーに記録される情報としては、映像音楽情報が望ましい。また、情報のタイトル、および記録日時などが表示されることが望ましく、利用者は記録再生装置で再生することなく、すなわちカートリッジの表面を見るだけで、中に記録された情報を視覚的に得ることができ、その利便性は大きい。
【００４６】
本実施例では、表示部の記録材料に可逆性感熱記録材料が用いられたが、他の書き換え可能な表示部を用いても、同様の効果が得られる。例えば、金属プレートと砂鉄から構成される磁性材料を表示部を用いることもできる。構成を図８に示す。金属プレート２７がカートリッジ表面の基板２８に設置され、その表面には砂鉄２９が散布されている。砂鉄２９は、カバー３０の中に閉じ込められている。磁気ヘッドが金属プレート２７に接近し、金属プレート２７の一部分を磁化させる。磁化させると、その部分には砂鉄２９が付着するため、ある情報を表示することができる。このような、磁気を利用した表示部でも、メモリー内の情報のタイトル、および記録日時などを表示することが可能となり、利用者は記録再生装置で再生することなく、すなわちカートリッジの表面を見るだけで、中に記録された情報を視覚的に得ることができ、その利便性は大きい。
【００４７】
また、磁性材料としては、磁気カプセルも用いることができ、上記と同様に磁気ヘッドで書き換えすることで、カートリッジ内の記録情報を視覚的に表示することができる。
【００４８】
以上のように、表示部の方式は、書き換えが可能であり、電力がなくても表示が保存されるものであれば、本実施例のような効果を得ることができ、利用者はカートリッジの表面を見るだけで、中に記録された情報を視覚的に得ることができ、その利便性は大きい。
【００４９】
なお、記録再生可能なメモリーとして相変化光ディスク以外でも、光磁気ディスク、フラッシュメモリー、強誘電体メモリー、磁気テープメモリーなどのメモリーが配置された記録再生カートリッジにおいても、同様の効果が得られる。
【００５０】
図９は、フラッシュメモリーが中に配置されたメモリーカートリッジ（以下メモリーカード、と記す。）を示している。フラッシュＥＥＰ（Ｅｌｅｃｔｒｉｃａｌｌｙ　ｅｒａｓａｂｌｅ　ｐｒｏｇｒａｍ）−ＲＯＭ３１とコントローラＬＳＩ３２がパッケージ３３中に、集積されている。現在、容量は６４ＭＢで、２５６Ｍｂｉｔのチップが２つ搭載されている。パッケージ３３表面には、記録材料として結晶性低分子／高分子からなる可逆性感熱記録材料を用いた表示部３４が形成されている。
【００５１】
フラッシュＥＥＰが中に配置されたメモリーカードでは、ＳＤカードやメモリースティックなどの開発されている。これらは、現状記録容量が小さいこともあり、音楽配信などの記録媒体として利用されている。本実施例においては、表示部３３に配信された音楽のタイトル、歌手、日時などが表示されるため、利用者はメモリーに記録された情報をパッケージの表面から視覚的に得ることができ、その利便性は大きい。
【００５２】
カートリッジの内部のメモリーが、強誘電体メモリーや磁気テープであっても、カートリッジ表面に表示部を設置することにより、記録される情報のタイトル、および記録日時などを表示することが可能となり、利用者は記録再生装置で再生することなく、すなわちカートリッジの表面を見るだけで、中に記録された情報を視覚的に得ることができ、その利便性は大きい。
【００５３】
本実施例では、記録再生装置の内部に、記録用のサーマルヘッド、消去用のロールヘッドなどから構成される表示部用記録ヘッドが取り付けられているが、図１０のようにメモリーカートリッジを取り出すフロントパネルの入り口上部に取り付けられていても、簡単に表示部の書き換えが行える。
【００５４】
図１０のように、記録再生装置３５には光ディスクやカートリッジの出し入れ機構として、ローディング機構が取り付けられている。本構成では、フロントパネルの取り出し口３６の上部に、記録用のサーマルヘッド、消去用のロールヘッドなどから構成される表示部用記録ヘッド３７が取り付けられている。そのため、ローディング機構によりカートリッジが取り出し口３６から取り出されるときに、カートリッジの表示部が表示部用記録ヘッド３７と接触し、書き換えられる。光ディスクなどのメモリーに記録されて映像や音楽などの情報のタイトルや日時は、記録時に記録再生装置内にあらかじめ取り付けられているメモリーに一時記録され、光ディスクやカートリッジを取り出すときに、表示部の書き換えが行われる。本構成では、表示部用記録ヘッドを直線運動させることなく、ローディング機構を利用して表示部の書き換えが行われるため、機構を簡素化でき、そのメリットは大きい。
【００５５】
なお、実施の形態１および２では、書き換え可能な表示部にメモリーに記録された情報のタイトル、および記録日時などの文字情報が表示された例を記載した。しかしながら、バーコード情報などのディジタル化された信号情報であるとさらに利便性が大きい。
【００５６】
例えば、本発明の表示部の書き換え装置が搭載されていない記録再生装置で、光ディスクなどのメモリーおよびメモリーカートリッジが記録されると、本発明の表示部がメモリーおよび記録再生カートリッジに設けられていても、メモリーに記録した情報を表示部に書き換えることは不可能である。このような場合、メモリーに記録されたデータの情報と表示部に表示された内容が一致していないことになる。表示されている内容が、バーコード情報などのディジタル化された信号情報として表示部に記載されていれば、メモリーを記録再生装置に挿入した時に、メモリーに記録されたデータの情報と表示部に表示された内容が一致しているか確認でき、もし異なっていれば書き換えが行えるため、その利便性は大きい。ただし、図５の表示部用記録ヘッドにバーコード情報を読み出すための装置を付加する必要がある。
【００５７】
（実施の形態３）
実施の形態１、２では、光ディスクやカートリッジ表面に表示部が形成され、記録再生媒体内の情報（タイトルや日時など）を表示する構成について説明した。本実施例では、光ディスクなどの記録再生装置や、他のメモリーカートリッジの記録再生装置に、記録再生媒体内の情報（タイトルや日時など）を表示するディスプレイや印刷部が取り付けられた構成について説明する。
【００５８】
図１１は、本発明の記録再生装置である。記録再生装置３８のフロントパネルには、光ディスクが配置されたカートリッジを挿入し取り出すための取り出し口３９と、光ディスク内の情報を表示するためのディスプレイ４０と、印刷されたシートを出力するための印刷部４１、データ交換部としてＩＣカードの送受信機４３および４５が構成されている。データの相変化光ディスクがカートリッジ内に配置された相変化ディスクカートリッジ４６を用いる。
【００５９】
また、カートリッジの一部分に記録再生領域に記録されたデータの情報の一部分を記録再生するための簡易記録再生部４７が設けられていて、簡易記録再生部４７と外部が非接触でデータ交換し、記録再生領域に記録されたデータの情報を得ることができる記録再生カートリッジについて説明する。
【００６０】
本実施例で用いられる相変化光ディスクおよび記録再生カートリッジには、簡易記録再生部として強誘電体メモリー（ＦｅＲＡＭ）から構成される非接触ＩＣカードが埋め込まれている。強誘電体メモリーは強誘電体のヒステリシス特性をメモリー動作に利用したものである。データの書き換えは、抗電界以上の電界印加で状態を反転させる。データの読み出しは１と０の残留分極量の差を検出する。強誘電体材料としては、ＰＺＴ（ＰｂＺｒｘＴｉ１−ｘＯ３）やＳｒＢｉ２Ｔａ２Ｏ９系ビスマス層状ペロブスカイトなどが用いられる。強誘電体メモリーの特長は、抗電界が５０ｋＶ／ｃｍ程度、膜厚が２００ｎｍ程度に設定すると、抗電圧が１Ｖ程度となり、低電圧で駆動できることである。また、書き換え回数が１０１２以上で、書き込み速度も１００ｎｓ以下と早いことである。図１２に、強誘電体メモリーが搭載された非接触ＩＣカードの構成を示す。ＩＣカードに内蔵するＬＳＩ４２に電波で電力と情報を同時に供給する。内部のコイルで起電力を発生、整流すると共に送信されたデータを解読して必要な作業を行う。本実施例では、相変化ディスクが入っているカートリッジの一部分に簡易記録再生部として強誘電体メモリーが内蔵された非接触ＩＣカードが取り付けられている。非接触ＩＣカードは小さいため、相変化ディスクの表面に内蔵されても問題なく、この場合ＩＣカードはディスク形成時に内蔵される。
【００６１】
また、光ディスクおよびカートリッジを記録再生装置に挿入した状態において、入力ポート４８から入ってきた映像や音楽などのコンテンツ情報およびその簡易情報は、コンテンツ情報は相変化光ディスクの記録再生領域に記録され、簡易情報は簡易記録再生部４７に記録される。コンテンツ情報と簡易情報を同時に記録するため、光ディスクやカートリッジの取り出し口３９の中にも簡易情報を記録するため、相変化ディスクカートリッジ４６上部には簡易記録再生部４７のデータ交換部としてＩＣカードの送受信機４５が内蔵されている。光ディスクの記録再生領域に映像や音声情報を記録すると同時に、非接触ＩＣカードには、光ディスクに記録された簡素化された内容、タイトル、日時などが記録される。
【００６２】
本実施例では、図１２に示す原理に基づいてデータ交換を行うため、データ交換部としてＩＣカードの送受信機４３が、フロントパネルにも取り付けられている。そのため、相変化ディスクやカートリッジを記録再生装置の取り出し口３９に挿入せず、送受信機４３の前を通すだけで高速に情報内容を読み出すことができる。読み出した情報は、図１１のディスプレイ４０に表示することで、内容を理解することができる。
【００６３】
本実施例のように、２つ以上の送受信機をもつことで、コンテンツ情報と簡易情報を同時に記録することができる。少なくとも１つの送受信機が、装置外部にあることで、ディスクやカートリッジを記録再生装置に挿入することなく非接触で瞬時にコンテンツ情報の内容を把握できるため、その利便性は高い。
【００６４】
テレビなどの画像表示装置にも送受信機が取り付けられていれば、テレビ画面などを通じて内容を視覚的に理解することができる。通常の記録再生媒体では、記録再生装置に媒体を挿入して、読み込まないと内部の情報を確認することができない。さらに、テレビなどの画像表示装置と記録再生措置などの光情報処理装置が一体化されていれば、光情報処理装置の送受信機で再生した簡易情報を画像表示装置のディスプレイに表示させることもできるため、大きな文字情報が表示でき、利便性がよい。
【００６５】
このように、記録再生媒体に記録された情報を非接触でやりとりできることで、従来まで煩雑であった記録再生媒体や記録再生カートリッジの管理が容易に行え、その実用的効果は大きい。
【００６６】
さらに、光情報処理装置や画像出力装置に簡易記録再生部であるＩＣカードの情報を印刷するため印刷部が取り付けられていると、実用的によい。出力されたものは、そのまま保存しても良いし、カートリッジ表面に付着させることで、メモリー内に記録された情報を利用者は視覚的に得ることができる。これにより、利用者は記録再生装置で再生することなく、すなわちカートリッジの表面を見るだけで、中に記録された情報を視覚的に得ることができ、その利便性は大きい。
【００６７】
（実施の形態４）
図１４に、本発明の光ピックアップを用いて表示部の表示を書き換える記録再生装置について説明する。光ディスクの記録再生装置には、半導体レーザを搭載して光ピックアップが内蔵されている。半導体レーザ光は光ピックアップ上の対物レンズにより相変化光ディスク上でサブμｍのスポットに集光される。スポット内部では６００℃程度まで温度上昇する。
【００６８】
本実施例で用いられる相変化光ディスクは、図４に示すように映像や音楽などの情報を記録するための記録層９と、その反対面には簡易情報を記録するための表示部１１が形成されている。表示部１１は、可逆性感熱記録材料から構成され、図３に示すように熱を加えることにより、透過率を変化させることができ、表示部１１の表示内容を書き換えることができる。
【００６９】
図１４では、相変化光ディスク１４５の記録再生面１４６ではなく、可逆性感熱記録材料から構成される表示部がある表示面１４７が光ピックアップ１４８側になるように記録再生装置に挿入する。光ピックアップの集光スポットがサブμと小さすぎると表示部が見づらいため、光ピックアップの高さを可動できるようになっている。集光スポットをデフォーカスして、スポットを大きくした。入力端子１４９から入ってきた信号の中で、タイトルや簡素化した内容、日時などの簡易情報をメモリー１５０に蓄積し、記録再生面に映像や音楽を記録した後、ディスクを裏返し、再びセットし、表示面にメモリー１５０に蓄積していた簡易情報を表示する。取り出したディスク表面には、記録した映像または音楽の情報が視覚的に理解することができる。利用者は記録再生装置で再生することなく、すなわちカートリッジの表面を見るだけで、中に記録された情報を視覚的に得ることができ、その利便性は大きい。
【００７０】
【発明の効果】
以上の記述したように、本発明によれば、記録再生領域を含む記録再生媒体をカートリッジ内に有し、カートリッジ表面に記録再生領域に記録されたデータの情報を視覚的に得ることが可能な表示部が設けられているので、記録再生装置にて再生することなく記録されたデータの情報を利用者が得ることができる。
【００７１】
また、本発明によれば、記録再生領域を含む記録再生媒体をカートリッジ内に有し、カートリッジの一部分に記録再生領域に記録されたデータの情報の一部分を記録再生するための簡易記録再生部が設けられていて、簡易記録再生部と外部が非接触でデータ交換し、記録再生領域に記録されたデータの情報を得ることができるので、記録再生装置にて再生することなく記録されたデータの情報を利用者が得ることができる。
【図面の簡単な説明】
【図１】可逆性感熱記録材料を分類した図
【図２】可逆性感熱記録材料を用いた表示部の構成図
【図３】結晶性低分子／高分子から構成される記録材料の状態変化を表す図
【図４】本発明の表示部が形成された相変化光ディスクの構成図
【図５】本発明の表示部が形成された相変化光ディスクを記録再生するための記録再生装置の構成図
【図６】記録材料にサーモクロミック系材料を用いた表示部の構成図
【図７】本発明の相変化光ディスクがカートリッジの中に配置され、表示部が形成されたメモリーカートリッジの構成図
【図８】本発明の磁気を利用した表示部の構成図
【図９】本発明のフラッシュメモリーが中に配置されたメモリーカートリッジの構成図
【図１０】本発明の記録再生装置の構成図
【図１１】本発明の記録再生装置の構成図
【図１２】強誘電体メモリが搭載された非接触ＩＣカードの構成図
【図１３】強誘電体メモリが搭載された相変化光ディスクカートリッジの外観図
【図１４】本発明の記録再生装置の構成図
【符号の説明】
１　基板
２　反射層
３　記録材料
４　保護膜
５　有機結晶粒子
６　マトリックスポリマー
７　ポリカーボネート基板
８　誘電体層
９　記録層
１０　反射層
１１　表示部
１２　相変化光ディスク
１３　スピンドルモーター
１４　光ピックアップ
１５　表示部用記録ヘッド
１６　サーマルヘッド
１７　ロールヘッド
１８　ディスク回転用ローラ
１９　表示部
２０　基板
２１　記録材料
２２　保護層
２３　カートリッジ
２４　光ディスク
２５　表示部
２６　スライド
２７　金属プレート
２８　基板
２９　砂鉄
３０　カバー
３１　フラッシュＥＥＰＲＯＭ
３２　コントローラＬＳＩ
３３　パッケージ
３４　表示部
３５　記録再生装置
３６　取り出し口
３７　表示部用記録ヘッド
３８　記録再生装置
３９　取り出し口
４０　ディスプレイ
４１　印刷部
４２　ＬＳＩ
４３　送受信機
４４　非接触ＩＣカード
４５　送受信機
４６　相変化ディスクカートリッジ
４７　簡易記録再生部
４８　入力ポート
１４５　相変化ディスク
１４６　記録再生面
１４７　表示面
１４８　光ピックアップ
１４９　入力端子
１５０　メモリー
【図１】
2004086965.tif 000003
【図２】
2004086965.tif 000004
【図３】
2004086965.tif 000005
【図４】
2004086965.tif 000006
【図５】
2004086965.tif 000007
【図６】
2004086965.tif 000008
【図７】
2004086965.tif 000009
【図８】
2004086965.tif 000010
【図９】
2004086965.tif 000011
【図１０】
2004086965.tif 000012
【図１１】
2004086965.tif 000013
【図１２】
2004086965.tif 000014
【図１３】
2004086965.tif 000015
【図１４】
2004086965.tif 000016